(57)【要約】【課題】視聴者が過去に記憶・再生手段に記憶した放送コンテンツを再生する際、記憶した当時の放送コンテンツの関連ウェブサイトにアクセスして関連ウェブサイトをテレビモニタに表示することを可能とする。【解決手段】ユーザが放送コンテンツの録画操作を行うと、ＥＰＧデータに含まれる関連ウェブページのＵＲＬを記憶する。録画終了後、ユーザが録画した放送コンテンツを視聴する際、特定の機能ボタン４１を押すと、ＥＰＧデータ記憶手段３４に記憶したＵＲＬに対応したウェブページをモニタ５に表示する。【選択図】図５
2009171049.tif 000002
【特許請求の範囲】
【請求項１】
放送局からの放送信号を受信するチューナと、インターネットと接続可能な通信接続手段と、表示手段とを備えたテレビジョン装置と、前記チューナで受信した放送コンテンツの記憶及び記憶した映像を再生する記憶・再生装置とから構成され、前記記憶・再生装置に前記チューナで受信した放送コンテンツを記憶（録画）する際、当該放送コンテンツに関連するＵＲＬを記憶し、前記記憶・再生装置に記憶した放送コンテンツを再生する際、インターネットへのアクセス要求が成されると、前記ＵＲＬと対応するウェブページにアクセスし、再生中の放送コンテンツに関連するウェブページを前記表示手段に表示するように構成したことを特徴とするインターネットテレビジョン装置。
【請求項２】
前記テレビジョン装置と前記記憶再生装置とがリモコン装置で操作可能であり、このリモコン装置は、ＴＶ動作モードとインターネットのウェブページの閲覧モードとが機能ボタンにより切り換え可能であるとともに、前記記憶再生装置の再生モード時に機能ボタンを操作することにより、録画再生中の放送コンテンツに関連するウェブページを前記表示手段に表示させることを特徴とする請求項１記載のインターネットテレビジョン装置。
【請求項３】
前記ＵＲＬ情報がＥＰＧ（Ｅｌｅｃｔｒｏｎｉｃ  Ｐｒｏｇｒａｍ  Ｇｕｉｄｅ）に含まれるＵＲＬ情報であることを特徴とする請求項１又は２記載のインターネットテレビジョン装置。
【請求項４】
前記機能ボタンにより、記憶再生装置で記憶した放送コンテンツの録画再生中に関連ウェブページへの閲覧要求が成されると、録画再生中の放送コンテンツと、該放送コンテンツと関連するウェブページとが２画面表示されることを特徴とする請求項２記載のインターネットテレビジョン装置。
【請求項５】
前記機能ボタンにより、記憶再生装置で記憶した放送コンテンツの再生中に前記関連するウェブページへの閲覧要求が成されると、録画再生中の放送コンテンツから該放送コンテンツと関連するウェブページへと偏移して全画面表示に切り換え表示されることを特徴とする請求項２記載のインターネットテレビジョン装置。
【請求項６】
前記憶画再生中の放送コンテンツからから関連するウェブページへと全画面表示に切り換え表示する際、前記記憶再生装置の再生モードを一時停止した状態で関連ウェブページへと偏移し、再び放送コンテンツの再生モードに切り換えた際、前記記憶再生装置の一時停止モードを解除し、再生動作を再開するように制御したことを特徴とする請求項５記載のインターネットテレビジョン装置。
【発明の詳細な説明】
【技術分野】
【０００１】
この発明は、記憶再生装置に記憶した放送コンテンツの録画再生中に、その放送コンテンツに関連するインターネットのウェブページに簡単にアクセスしてウェブページにて切り換え操作が行えるインターネットテレビジョン装置に関する。
【背景技術】
【０００２】
従来、放送局から送信する放送コンテンツに関連するデジタルコンテンツをウェブサーバに蓄積しておき、ＴＶ端末で放送コンテンツを視聴した視聴者が、ＴＶ端末、固定電話端末、携帯電話端末、インターネット端末のいずれかを適宜選択して双方向サービス・センターへ接続し、双方向サービスをうける双方向クロスメディア・サービスシステムに関する技術が特許文献１で提案されている。また、特許文献２には、録画時に、映像情報からインターネット上の関連情報ウェブサイトにアクセスすることを技術が開示されている。
【０００３】
【特許文献１】特開平２００２−１３３３５２号公報
【特許文献２】特開平２００６−５３８７６号公報
【発明の開示】
【発明が解決しようとする課題】
【０００４】
しかしながら、上記特許文献１では、リアルタイムで視聴してる放送番組に関し、その放送番組に関連するウェブページの閲覧には有効であるが、ユーザが過去に録画した放送コンテンツには対応していないから、例えば、ユーザが取り溜めた放送番組の録画を再生し、その番組の情報が知りたいと思っても関連するウェブページを閲覧することができなかった。
【０００５】
一方、特許文献２は、ネットワーク上のサーバ側で映像に実時間の放送局コードとタイムコード等を付与し、その放送局コードとタイムコード等の映像に関するＵＲＬ情報と放送局コードとタイムコード等の情報をデータベース化し、あらかじめＰＣ、ＤＶＤ／ＨＤＤレコーダ、情報家電、携帯電話等の表示装置へ問合せまたはダウンロードしておき、視聴者が録画した映像の更に詳細な説明等を確認したい時にリモコンによりボタン操作で、録画した時間の放送局コードとタイムコード等をキーにその情報のＵＲＬ等を検索し、ウェブページで詳細な情報を取得するように構成したウェブサイトを閲覧することができる。しかし、特許文献２は、あらかじめＰＣ、ＤＶＤ／ＨＤＤレコーダ、情報家電、携帯電話等の表示装置といった装置側に予め放送局コードとタイムコード等の映像に関するＵＲＬ情報と放送局コードとタイムコード等の情報をファイル化またはデータベース化する必要がある。しかし、このように放送局コードとタイムコード等の映像に関するＵＲＬ情報と放送局コードとタイムコード等の情報をデータベース化する場合、その情報を更新するには、常に全国の放送コンテンツに対するＵＲＬ情報と放送局コードとタイムコード等の情報を常に収集してデータベース化する必要があるため、データベースをユーザ側が記憶する場合、記憶容量の大きな記憶手段が必要であるとともに、これらの情報を常に更新し続けるには、常時、通信機能を介してインターネットとを接続して関連するデータを更新する必要があるため、構造が複雑となる。しかし、近年、放送局から送られる放送番組を表示する機能に加えてインターネットに接続可能なインターテーネットテレビジョン装置の開発が進み、このようなインターテーネットテレビジョン装置において、リアルタイムで視聴中の放送番組に関連するウェブページに閲覧する技術は進んでおり、このような既存のインターテーネットテレビジョン装置を利用してユーザへの利便性をさらに高めることによって、より付加価値の高い製品化への要望は多い。
【０００６】
本発明は、このような課題に鑑みてなされたものであり、インターテーネットテレビジョン装置が持つインテーネット接続技術を利用し、視聴者が録画などで取り溜めた過去の放送コンテンツを再生する際、その放送コンテンツの関連ウェブページへとに簡単操作でアクセスすることが可能なインターネットテレビジョン装置を提供することを目的とする。
【課題を解決するための手段】
【０００７】
本発明の請求項１記載のインターネットテレビジョン装置は、放送局からの放送信号を受信するチューナと、インターネットと接続可能な通信接続手段と、表示手段とを備えたテレビジョン装置と、前記チューナで受信した放送コンテンツの記憶及び記憶した映像を再生する記憶・再生装置とから構成され、前記記憶・再生装置に前記チューナで受信した放送コンテンツを記憶（録画）する際、当該放送コンテンツに関連するＵＲＬを記憶し、前記記憶・再生装置に記憶した放送コンテンツを再生する際、インターネットへのアクセス要求が成されると、前記ＵＲＬと対応するウェブページにアクセスし、再生中の放送コンテンツに関連するウェブページを前記表示手段に表示するように構成したことを特徴とする。
【０００８】
本発明の請求項２記載のインターネットテレビジョン装置は、前記テレビジョン装置と前記記憶再生装置とがリモコン装置で操作可能であり、このリモコン装置は、ＴＶ動作モードとインターネットのウェブページの閲覧モードとが機能ボタンにより切り換え可能であるとともに、前記記憶再生装置の再生モード時に機能ボタンを操作することにより、録画再生中の放送コンテンツに関連するウェブページを前記表示手段に表示させることを特徴とする。
【０００９】
本発明の請求項３記載のインターネットテレビジョン装置は、前記ＵＲＬ情報がＥＰＧ（Ｅｌｅｃｔｒｏｎｉｃ  Ｐｒｏｇｒａｍ  Ｇｕｉｄｅ）に含まれるＵＲＬ情報であることを特徴とする。
【００１０】
本発明の請求項４記載のインターネットテレビジョン装置は、前記機能ボタンにより、記憶再生装置で記憶した放送コンテンツの録画再生中に関連ウェブページへの閲覧要求が成されると、録画再生中の放送コンテンツと、該放送コンテンツと関連するウェブページとが２画面表示されることを特徴とする。
【００１１】
本発明の請求項５記載のインターネットテレビジョン装置は、前記機能ボタンにより、記憶再生装置で記憶した放送コンテンツの再生中に前記関連するウェブページへの閲覧要求が成されると、録画再生中の放送コンテンツから該放送コンテンツと関連するウェブページへと偏移して全画面表示に切り換え表示されることを特徴とする。
【００１２】
本発明の請求項６記載のインターネットテレビジョン装置は、前記憶画再生中の放送コンテンツからから関連するウェブページへと全画面表示に切り換え表示する際、前記記憶再生装置の再生モードを一時停止した状態で関連ウェブページへと偏移し、再び放送コンテンツの再生モードに切り換えた際、前記記憶再生装置の一時停止モードを解除し、再生動作を再開するように制御したことを特徴とする。
【発明の効果】
【００１３】
本発明の請求項１記載のインターネットテレビジョン装置によれば、放送局からの放送信号を受信するチューナと、インターネットと接続可能な通信接続手段と、表示手段とを備えたテレビジョン装置と、前記チューナで受信した放送コンテンツの記憶及び記憶した映像を再生する記憶・再生装置とから構成され、前記記憶・再生装置に前記チューナで受信した放送コンテンツを記憶（録画）する際、当該放送コンテンツに関連するＵＲＬを記憶し、前記記憶・再生装置に記憶した放送コンテンツを再生する際、インターネットへのアクセス要求が成されると、前記ＵＲＬと対応するウェブページにアクセスし、再生中の放送コンテンツに関連するウェブページを前記表示手段に表示するように構成したものであるから、録画時に、録画時に放送コンテンツの関連ウェブページのＵＲＬを記憶し、録画した放送コンテンツを再生する際、ＵＲＬに対応した関連ウェブページを表示することができる。
【００１４】
本発明の請求項２記載のインターネットテレビジョン装置によれば、前記テレビジョン装置と前記記憶再生装置とがリモコン装置で操作可能であり、このリモコン装置は、ＴＶ動作モードとインターネットのウェブページの閲覧モードとが機能ボタンにより切り換え可能であるとともに、前記記憶再生装置の再生モード時に機能ボタンを操作することにより、録画再生中の放送コンテンツに関連するウェブページを前記表示手段に表示させるものであるから、リモコン操作によって録画再生画面から録画番組に関連するウェブページへの表示を簡単に行うことができ操作性に優れるとともに、別途、インターネット端末の立ち上げ、関連するウェブページを検索するなどの手間が省ける。
【００１５】
本発明の請求項３記載のインターネットテレビジョン装置によれば、前記ＵＲＬ情報がＥＰＧ（Ｅｌｅｃｔｒｏｎｉｃ  Ｐｒｏｇｒａｍ  Ｇｕｉｄｅ）に含まれるＵＲＬ情報であるから、録画中の番組に関連するウェブページを表示するためのＵＲＬとして現在、広く普及されているＥＰＧデータを用いることから、新たに、ウェブページを閲覧するために新しいシステムを構築することなく、既存のシステムを利用して関連ウェブページを閲覧することが可能となる。
【００１６】
本発明の請求項４記載のインターネットテレビジョン装置によれば、前記機能ボタンにより、記憶再生装置で記憶した放送コンテンツの録画再生中に関連ウェブページへの閲覧要求が成されると、録画再生中の放送コンテンツと、該放送コンテンツと関連するウェブページとが２画面表示されものであるから、再生画面を見ながら同時にウェブページの情報を確認できる。
【００１７】
本発明の請求項５記載のインターネットテレビジョン装置は、前記機能ボタンにより、記憶再生装置で記憶した放送コンテンツの再生中に前記関連するウェブページへの閲覧要求が成されると、録画再生中の放送コンテンツから該放送コンテンツと関連するウェブページへと偏移して全画面表示に切り換え表示されるものでるから、全画面切り換え表示の場合、それぞれの表示領域が広く、特に関連ウェブページの文字などが読み易い。
【００１８】
本発明の請求項６記載のインターネットテレビジョン装置によれば、前記憶画再生中の放送コンテンツからから関連するウェブページへと全画面表示に切り換え表示する際、前記記憶再生装置の再生モードを一時停止した状態で関連ウェブページへと偏移し、再び放送コンテンツの再生モードに切り換えた際、前記記憶再生装置の一時停止モードを解除し、再生動作を再開するように制御したものであるら、ウェブページの閲覧から再び再生動作に戻る際、一時停止した時点から再生が続行するから、録画を捲き戻すといった手間もかからず、放送コンテンツの続きを違和感なく連続して視聴することができる。
【発明を実施するための最良の形態】
【００１９】
本発明の実施の形態について、添付図面を参照しながら説明する。
【００２０】
図１において、１は放送局２からの放送信号を受信するチューナ部、３はチューナ部１で受信した放送コンテンツを記憶・再生する記憶再生装置、４は表示手段としてのモニタ５を備えたテレビジョン装置（以下、ＴＶ装置と称す）であり、このＴＶ装置４はインターネット網６とを接続するネットワーク通信接続部７と、ウェブページの閲覧を可能とするブラウジング機能（図示せず）とを備え、放送局２からの映像をモニタ５で表示する以外、インターネットに接続してウェブページの閲覧も可能なインターネットテレビジョン装置である。
【００２１】
図２は、テレビジョン装置４の概略構成を示しており、ＣＰＵ１０、ＲＡＭ１１とプログラムや各種テーブルを記憶するＲＯＭ１２にて制御部１３を構成している。また、ネットワークインターフェース１４は、前記ネットワーク通信接続部７を介してインターネット網５に接続するための通信制御を行い、リモコン受信装置２２は後述するリモコン装置４０からの信号を受信し、チャネルの切り替え、ヴォリューム調整等の通常のテレビに付属されているリモコン機能の他、ウェブページを閲覧するためパソコン機能とテレビ機能を切り替えるための信号を受信する。ＶＲＡＭ１５は映像信号を記憶するもので、ＶＧＡ１６からの信号を記憶したり、ＶＧＡ１６からの要求に応じて記憶した時データを読み出したりする。デジタルアナログ（Ｄ／Ａ）変換機１７は映像信号（ビデオ信号）に関してデジタル信号をアナログ信号に変換し、ビデオＩ／Ｆ１８に出力する。ビデオＩ／Ｆ１８はモニタ５に接続され、放送局２から送られる放送コンテンツや記憶再生装置３で録画した放送コンテンツやネットワークインターフェース１４にて受信されたウェブページを表示させる。音声信号処理部１９はチューナ部１やネットワークインターフェース１４で受信した音声信号を処理し、デジタルアナログ（Ｄ／Ａ）変換機２０に出力し、デジタルアナログ（Ｄ／Ａ）変換機２０によりアナログ信号に変換された音声信号は音声Ｉ／Ｆ２１から出力され、テレビジョン装置４のスピーカから出力される。
【００２２】
図３は記憶再生装置３の概略構成を示しており、ＣＰＵ３０、ＲＡＭ３１とプログラムや各種テーブルを記憶するＲＯＭ３２によって構成される制御部３３、ＥＰＧデータ記憶手段３４、記憶手段３５、チューナ部３６、リモコン受信装置３７などを備える。記憶再生装置３の記憶手段３５としては、例えばＨＤＤ／ＤＶＤレコーダを搭載し、ＣＰＵ３０は、ＲＯＭ３１内に記憶されたプログラムに従って、記憶再生装置３の処理動作を制御し、ＲＡＭ３１は、ＣＰＵ３０が実行するプログラムおよびデータを一時的に格納するワークエリアである。また、ＥＰＧデータ記憶手段３４は、放送局がテレビ放送信号にＥＰＧデータを多重して送信している場合、チューナ部３６で受信したＥＰＧデータを格納する。また、ＥＰＧデータがインターネット配信されている場合は、テレビジョン装置４のネットワーク通信接続部７を介してＥＰＧサーバデータベースから取得したＥＰＧデータを格納する。なお、ＥＰＧデータは、一般に、放送される番組の放送開始日時および終了日時、番組名、番組内容、ジャンル名および出演者名、関連するウェブベージなどの情報を内容とする。記憶再生装置３は、このＥＰＧデータにもとづき、表示装置５にＥＰＧ（電子番組表）を表示する。通常、ＥＰＧ（電子番組表）は、録画予約する際に用いるが、放送局２の放送コンテンツを記憶手段３５に録画（記憶）する際、ＥＰＧから関連するウェブベージのＵＲＬの情報をＥＰＧデータ記憶手段３４に記憶する。リモコン受信装置３７はリモコン装置４０からの信号を入力し、記憶再生装置３の録画・再生・停止といった記憶再生装置３の機能を切り換え制御を行う。
【００２３】
図４はリモコン装置４０の配列の一例を示すものであり、４１は放送局から送られる放送コンテンツとウェブページとを切り換える機能ボタン、４２はチャネル番号を切り換える切り換えボタン、４３は電源のオン・オフボタン、４４は記憶再生装置３の録画ボタン、４５は記憶再生装置３の再生ボタン、４６は停止ボタンであり、視聴者が録画ボタン４５を操作することによって、録画対象の放送コンテンツを記憶手段３５に録画する録画モードとなる。この際、関連するウェブベージのＵＲＬを含むＥＰＧのデータをＥＰＧデータ記憶手段３３に記憶する。なお、録画と同時に関連するウェブベージのＵＲＬを記憶するかしないかは、選択メニューなどによって選択可能である。
【００２４】
次に図５のフローチャートを参照して録画した放送コンテンツに関連するウェブページを開くまでの流れについて説明する。まず、ユーザがリモコン装置４０の録画ボタン４４を押して放送コンテンツの録画操作を行うと（ステップＳ１）、放送局がテレビ放送信号にＥＰＧデータを多重して送信している場合、チューナ部３６で受信したＥＰＧデータを格納する。また、ＥＰＧデータがインターネット配信されている場合は、テレビジョン装置４のネットワーク通信接続部７を介してＥＰＧサーバデータベースから取得したＥＰＧデータをＥＰＧデータ記憶手段３４に記憶する（ステップＳ２）。この後、ユーザが設定した録画終了時刻に達する、又は停止ボタン３６を操作することによって放送コンテンツの録画を終了する（ステップＳ３）。この後、ユーザが録画した放送コンテンツを視聴するため、再生ボタン４４を押すと（ステップＳ４）、記憶再生装置３は再生動作を開始する（ステップＳ５）。この時、ユーザーが録画した放送コンテンツに関連するウェブページの閲覧を希望する場合、機能ボタン４１を押すことによって（ステップＳ６）、ＥＰＧデータ記憶手段３４に記憶したＵＲＬに対応した放送コンテンツに関連するウェブページをモニタ５に表示する（ステップＳ７）。この後、ユーザが停止ボタン４６を操作することによって再生動作が停止する。
【００２５】
なお、ウェブページをモニタ５に表示する際、再生中の放送コンテンツと、該放送コンテンツと関連するウェブページとを２画面表示するか、録画再生中の放送コンテンツからウェブページに完全に偏移させて切り換え表示（全画面切り換え表示）するかは、ユーザの好みに応じて選択メニューなどでを選択することが可能である。そして、ユーザが全画面切り換え表示を選択した場合、関連するウェブページへと偏移した際、前記記憶再生装置３が一時停止モードとなり、再び放送コンテンツの再生モードに切り換えた際、前記記憶再生装置３の一時停止モードを解除し、再生動作を再開するように制御される。
【００２６】
以上のように本実施例によれば、例えば過去に取り溜めた録画などを再生する場合、録画時にＥＰＧデータから放送コンテンツの関連ウェブページのＵＲＬを記憶し、録画した放送コンテンツを再生する際、ＵＲＬに対応した関連ウェブページを表示することができる。しかも、録画再生から録画番組に関連するウェブページをモニタ５に表示できるため、インターネット端末の立ち上げ、関連するウェブページの検索の手間が省ける。
【００２７】
また、録画中の番組に関連するウェブページを表示するためのＵＲＬは現在、広く普及されているＥＰＧデータを用いることから、新たに、ウェブページを閲覧するためにシステムを構築することなく、既存のシステムを利用して関連ウェブページを閲覧することが可能となり、また、近年、インターネットも見れるテレビジョン装置も一般的となってきており、これらのインターネットテレビジョン装置に備えた機能を利用することで、別途、特別な機能を増やすことなく、録画再生から録画番組に関連するウェブページをテレビジョン装置４のモニタ５で表示できる。
【００２８】
また、再生画面と関連ウェブページとを２画面で表示する方法を選択した場合、再生画面を見ながらウェブページの情報を確認でき、他方、再生画面から関連ウェブページへと全画面切り換え表示を選択した場合、それぞれの表示領域が広く、特に関連ウェブページの文字なども読み易い。さらに、全画面切り換え表示では、記憶再生装置３の再生動作を一時停止し、ウェブページの閲覧から再び再生動作に戻る際、一時停止した時点から再生が続行するから、録画を捲き戻すといった手間もかからず、放送コンテンツの続きを違和感なく連続して視聴することができる。
【００２９】
以上実施例で示した実施の対応は、発発明の目的を達成するための発明の一対応を示したものであって、逸脱しない範囲で変更可能である。
【図面の簡単な説明】
【００３０】
【図１】本発明の一実施例の概略を示すシステム構成図である。
【図２】同上、テレビジョン装置の概略を示すブロック構成図である。
【図３】同上、記憶再生装置の概略を示すブロック構成図である。
【図４】同上、リモコン装置を示す正面図である。
【図５】同上、関連ウェブページを開くまでの流れを示すフローチャート図である。
【符号の説明】
【００３１】
１，３６  チューナー部
２  放送局
３  記憶再生手段
４  テレビジョン装置
５  モニタ（表示手段）
６  ネットワーク網
７  通信接続手段（ネットワーク通信接続部）
３３  ＥＰＧデータ記憶手段
３５  ＨＤＤドライブ（記憶手段）
４０  リモコン装置
４１  機能ボタン
【図１】
2009171049.tif 000003
【図２】
2009171049.tif 000004
【図３】
2009171049.tif 000005
【図４】
2009171049.tif 000006
【図５】
2009171049.tif 000007